(57)【要約】      （修正有）【課題】飲食物等が収容されるカップを保持するためのカップホルダーを提供する。【解決手段】有底筒状でテーパー状のカップ４を内挿して保持する環状のホルダー本体３と、ホルダー本体３を使用者の首部から吊り下げる長尺体２とを備える。ホルダー本体３は水平方向に周縁部３２を有する偏平形状であり、カップ４を内挿する挿通穴３１の直径は、カップ４の下部外径ＤＬよりも大きく上部外径ＤＵよりも小さい。周縁部３２には複数の被連結部３４が設けられており、長尺体２は被連結部３４にそれぞれ連結される複数の連結部２１を備える。【選択図】図１
0003223709.tif 000002
【実用新案登録請求の範囲】
【請求項１】
有底筒状でテーパー状のカップを内挿して保持する環状のホルダー本体と、
前記ホルダー本体を使用者の首部から吊り下げる長尺体とを備え、
前記ホルダー本体は、水平方向に周縁部を有する偏平形状であり、前記カップを内挿する挿通穴の直径はカップの下部外径よりも大きく上部外径よりも小さく、前記周縁部には複数の被連結部が設けられており、
前記長尺体は前記被連結部にそれぞれ連結される複数の連結部を備える
ことを特徴とする、カップホルダー。
【請求項２】
前記周縁部の外径は、前記カップの上端開口の外径よりも大きい、請求項１に記載のカップホルダー。
【請求項３】
前記ホルダー本体は、前記周縁部の少なくとも一部に、前記カップの上端開口の周縁よりも径方向外側に突出する突出部を備える、請求項１または請求項２に記載のカップホルダー。
【請求項４】
前記ホルダー本体は、周縁部の少なくとも一部に、周縁部の厚さ方向に対して上方向又は／及び下方向に長い縦長部を備える、請求項１から３のいずれかに記載のカップホルダー。
【請求項５】
前記被連結部は、少なくとも一対が前記挿通穴の中心点について対象の位置に形成されている、請求項１から４のいずれかに記載のカップホルダー。
【請求項６】
前記長尺体は、使用者の首部から吊り下げられる長さを調節できる長さ調節部を備える、請求項１から５のいずれかに記載のカップホルダー。
【考案の詳細な説明】
【技術分野】
【０００１】
本考案は、飲食物等が収容されるカップを保持するためのカップホルダーに関する。
【背景技術】
【０００２】
ビールやスナックなどの飲食物を収容した有底筒状のカップは、簡単な構造で飲食物を収容でき、このカップを片手に保持した状態で収容物を容易に摂取できることから、野球、サッカー等のスポーツを観戦する際や、テーマパークや観光地等で歩きながら楽しむ際にしばしば使用されている。従来、このカップを保持するホルダーとして、カップが内挿される環状ホルダー本体と、ホルダー本体に径方向外側に向けて突設された把手体とを備えたものが提案されている（特許文献１参照）。
【先行技術文献】
【特許文献】
【０００３】
【特許文献１】特開２０１２−１５７３７９
【考案の概要】
【考案が解決しようとする課題】
【０００４】
上記従来のカップホルダーは、カップに収容されている飲料等を摂取しない場合にあっても、このカップを載置できるテーブルなどが周囲に無ければ、使用者はカップホルダーの把手体を介してカップを片手で保持しておかなければならない。このため、例えばスポーツ観戦や観光などにおいて、カップの使用者は片手がカップホルダーで塞がれており、拍手など他の動作を制限される問題がある。
【０００５】
そこで、本考案は、カップに収容された飲食物を摂取しない場合には、使用者がカップを身体の近傍に保持した状態で、カップホルダーから手を離して両手を自由に動作させることができ、しかもカップに収容された飲食物を摂取する場合には、カップを簡単に操作して前記飲食物を容易に摂取することができる、カップホルダーを提供することを主たる目的とする。
【課題を解決するための手段】
【０００６】
上記目的を達成するため、本考案に係るカップホルダーは、有底筒状でテーパー状のカップ(４)を内挿して保持する環状のホルダー本体(３)と、前記ホルダー本体(３)を使用者(５)の首部(51)から吊り下げる長尺体(２)とを備え、前記ホルダー本体(３)は、水平方向に周縁部(32)を有する偏平形状であり、前記カップ(４)を内挿する挿通穴(31)の直径(DH)はカップ(４)の下部外径(DL)よりも大きく上部外径(DU)よりも小さく、前記周縁部(32)には複数の被連結部(34)が設けられており、前記長尺体(２)は前記被連結部(34)にそれぞれ連結される複数の連結部(21)を備えることを特徴とする。
【０００７】
前記長尺体は使用者の首部に掛けられて吊り下げられており、この長尺体の各連結部が前記ホルダー本体の被連結部にそれぞれ連結されている。ホルダー本体は、使用者が長尺体による吊り下げ状態を調整することで、その姿勢を水平状態に容易に調節できる。前記カップ内の飲食物を摂取しない状態にあっては、カップはこのホルダー本体の挿通穴に内挿されて支持され、その収容物の重量等により下方へ付勢される。これによりカップは、使用者がカップやカップホルダーから手を離した状態にあっても、上端開口を上方に配置した垂直状態に安定性良く保持され、収容物がカップからこぼれ出ることが抑制される。また、ホルダー本体は水平方向に周縁部を有する偏平形状であるので、使用者の首部から吊り下げられたホルダー本体は、その周縁部が使用者の身体に接触することにより、カップは上端開口が使用者の身体に直接接触しないように保持することができる。
【０００８】
一方、使用者がカップ内の飲食物を摂取する場合は、前記カップをホルダー本体の挿通穴から取り出すことでカップが操作されてもよい。しかし、前記ホルダー本体は前記長尺体により使用者の首部から吊り下げられているので、カップがホルダー本体の挿通穴に内挿された状態で、ホルダー本体ごとカップを移動させることができ、一層簡便にカップを操作できて好ましい。例えば、カップ内の飲料を飲む場合は、カップがホルダー本体の挿通穴に内挿された状態で、カップ上端の開口縁が使用者の口に接する位置へホルダー本体ごとカップを移動させ、このカップを傾けることにより簡単に飲料が摂取される。尚、カップ内に収容された飲料はストローを介して摂取されてもよく、またカップ内に収容された食べ物が唐揚げやポテトチップス、フライドポテトなどの場合は、使用者がカップ内の食べ物を直接指先でつまむことにより摂取され、食べ物がかき氷などの場合はスプーン等を用いてカップ内から所要量が取り出され、摂取される。これらの場合、いずれもカップはホルダー本体の挿通穴に内挿された状態で操作することができる。
【０００９】
前記周縁部(32)の外径(DO)は、前記カップ(４)の上端開口(41)の外径よりも大きいことが、前記カップ(４)の上端開口(41)が使用者の身体ひいては衣服に直接接触しない点から、好ましい。
【００１０】
即ち、カップ内の収容物を摂取する際、前記飲食物や使用者の口紅などがカップの上端開口の周縁に付着する場合がある。使用者の首部から吊り下げられたホルダー本体は、水平方向に周縁部を有する偏平形状であるので、カップは上端開口が使用者の身体に直接接触しないように保持されるが、その周縁部の外径がカップ上端開口の外径よりも大きいと、確実にカップの上端開口の使用者の身体への接触を防止することができる。
【００１１】
前記ホルダー本体(３)は、前記周縁部(32)の少なくとも一部に、前記カップ(４)の上端開口(41)の周縁よりも径方向外側に突出する突出部(35)を備えることが好ましい。
【００１２】
前記周縁部に前記突出部が形成されていると、前記カップホルダーを使用者の首部から吊り下げた状態において、カップの上端開口が使用者に直接触れることをより確実に防止できるので、前記上端開口の周縁に付着した飲食物や口紅等が使用者の衣服に付着することを一層確実に防止できる。さらに上記の突出部は、ホルダー本体の強度を高めて保形性を高めるうえ、ホルダー本体の表面積が増加するため、この突出部に表示部を設けることができる。そして、この表示部にスポーツ観戦時の応援チーム名や企業名、商品名、ロゴなどを表示することにより、スポーツファンの応援意欲を高揚させることや、広告宣伝効果等を高めることができる。
【００１３】
前記ホルダー本体(３)は、前記周縁部(32)の少なくとも一部に、周縁部(32)の厚さ方向に対して上方向又は／及び下方向に長い縦長部(36)を備えることが好ましい。この縦長部(36)は、単独で、又は前記突出部(35)と共に、設けることができる。
【００１４】
前記カップホルダーを使用者の首部から吊り下げたときに、前記縦長部が使用者の身体に接することで、ホルダー本体の姿勢が安定し易く、カップを垂直姿勢に容易に保持することができる。また、前記縦長部が使用者の身体に接することでカップの揺動が抑制されるので、カップの上端開口の使用者への接触を防止し、衣服の汚損を防止する効果も向上する。しかも、この縦長部の外面は外方から容易に見えるので、この縦長部に表示部を設けることができる。そして、この表示部に応援チーム名や企業名、商品名、ロゴなどを表示することにより、スポーツファンの応援意欲を高揚させることや、広告宣伝効果等を高めることができる。
【００１５】
前記被連結部は複数箇所設けてあればよく、特に限定されないが、通常、２〜４箇所の被連結部が設けられ、好ましくは２又は３箇所の被連結部が設けられ、さらに好ましくは一対の被連結部が設けられる。この被連結部は、前記周縁部に径方向外側へ膨らむ膨出部を設けて、この膨出部に貫通する透孔を形成することが好ましい。この透孔に、長尺体の連結部である長尺体末端自体又は長尺体末端に付設した連結用部材を挿通させて容易に連結できるうえ、膨出部を形成することで透孔を形成した被連結部の強度を高めることができる。また、これらの被連結部は、長尺体の連結部と連結できればよく、例えば、前記周縁部の一部を径方向外側に、小さな湾曲部を形成するように突出させるなど、任意の形状や構造を採用することもできる。
【００１６】
前記被連結部(34)は、少なくとも一対が前記挿通穴(31)の中心点(33)について対象の位置に形成されていることが特に好ましい。
【００１７】
即ち、使用者の身体に吊り下げられた前記カップは、収容物の重量等により下方に付勢されるが、その付勢力は前記一対の被連結部を通過する軸心を挟んだ両側に均等に加わるので、この軸心回りにカップが揺動することが抑制され、ホルダー本体が水平姿勢に安定性良く支持される。
【００１８】
前記長尺体(２)は、使用者(５)の首部(51)から吊り下げられる長さを調節できる長さ調節部(22)を備えることが好ましい。
【００１９】
即ち、前記ホルダー本体は、吊り下げ状態において使用者の腹部前方に位置していると好ましく、このため前記長尺体は、使用者の身長等に応じて長さを調節できることが好ましい。この調節方法としては、例えば、紐体に結び目を形成するなど、使用者が任意に設定することも可能であるが、前記長さ調節部を備えることよって、吊り下げ高さなどを簡単に調節することができる。
【考案の効果】
【００２０】
本考案に係るカップホルダーは、前記長尺体によりホルダー本体が使用者の首部から吊り下げられて水平状態に保持され、このホルダー本体の挿通穴に内挿されたカップが安定性良く支持される。このため、カップ内に収容された飲食物を摂取していない状態にあっては、使用者がカップを身体の近傍に保持した状態で、カップホルダーから手を離して両手を自由に動作させることができ、スポーツ観戦時の応援動作などを不自由なく行うことができる。また、ホルダー本体は水平方向に周縁部を有する偏平形状であるので、使用者の首部から吊り下げられたホルダー本体は、その周縁部が使用者に接触することから、カップの上端開口が使用者の身体に直接接触しないように保持することができる。これにより、カップの上端開口の周縁に付着した飲食物や口紅等が使用者の衣服に付着することを防止できる。しかも、前記長尺体は使用者の首部から吊り下げられているだけであるので、カップに収容された飲食物を摂取する場合には、例えば、ホルダー本体の挿通穴に内挿された状態のカップを、ホルダー本体とともに持ち上げて傾けるなど、カップを簡単に操作して前記飲食物を容易に摂取することができる。
【図面の簡単な説明】
【００２１】
【図１】本考案に係るカップホルダーの一実施形態を示す、カップホルダーにカップを内挿した全体の斜視図である。
【図２】本考案に係るカップホルダーの一実施形態を示す、ホルダー本体の斜視図である。
【図３】本考案に係るカップホルダーの一実施形態を示す、カップを内挿したカップホルダーを使用者が装着した状態の概略斜視図である。
【図４】本考案の別の実施形態を示す、ホルダー本体の斜視図である。
【図５】本考案のさらに別の実施形態を示す、ホルダー本体の斜視図である。
【図６】本考案の実施形態の変形例１を示す、長尺体の斜視図である。
【図７】本考案の実施形態の変形例２を示す、ホルダー本体の平面図である。
【図８】本考案の実施形態の変形例３を示す、ホルダー本体の平面図である。
【考案を実施するための形態】
【００２２】
本考案に係るカップホルダーの実施形態について、図１〜図８を適宜参照しつつ、以下に説明する。
【００２３】
図１に示すように、本考案に係るカップホルダー(１)は、有底筒状でテーパー状のカップ(４)を内挿して保持する環状のホルダー本体(３)と、このホルダー本体(３)を使用者(５)の首部(51)から吊り下げる長尺体(２)とを備える。前記ホルダー本体(３)は、水平方向に周縁部(32)を有する偏平形状であり、前記カップ(４)を内挿する挿通穴(31)を備える。この周縁部(32)の外径は、前記カップ(４)の上端開口(41)の外径よりもやや大きいことが好ましい。また、この周縁部(32)の内径でもある挿通穴(31)の直径(DH)(図２参照)は、前記カップ(４)の下部外径(DL)よりも大きく上部外径(DU)よりも小さい。尚、本考案において、カップ(４)の下部とは、カップの上端開口(41)を上側に位置させた姿勢での下端近傍をいい、上部とは同じ姿勢での上端直下またはその近傍をいう。
【００２４】
前記挿通穴(31)に内挿され支持された前記カップ(４)の高さ位置は、カップ(４)の上端開口(41)に近いほど収容物(42)の重量等で安定性良く支持される。従って、前記挿通穴(31)の直径(DH)は、より具体的には、カップ(４)の上端開口(41)直下の外径以下であって、カップ(４)の上から１／２高さでの外径以上であると好ましく、上から１／３高さでの外径以上であるとさらに好ましい。
【００２５】
前記挿通穴(31)の直径(DH)は、前記カップ(４)の上端開口(41)が鍔部を備える場合は、その鍔部直下でカップ(４)を前記周縁部(32)が支持する大きさであってもよい。しかし、カップ(４)に収容された飲料を摂取するため使用者が口を前記上端開口(41)に触れる際に、前記ホルダー本体(３)が邪魔にならない位置までカップ(４)の上端開口(41)から下方に離れていると、より好ましい。このため、前記挿通穴(31)の直径(DH)は、前記カップ(４)の上端開口(41)から１／２高さ以内の範囲内で離れた位置で前記カップ(４)を支持する大きさに設定され、より好ましくは１／３高さ以内の範囲内で離れた位置で前記カップ(４)を支持する大きさに設定される。具体的には、通常、前記カップ(４)の上端開口(41)から５〜６０mm程度離れた位置で前記カップ(４)を支持する大きさに設定されるのが好ましい。
【００２６】
一方、前記長尺体(２)は、長さ方向の両末端に、長尺体末端自体で形成した、又は長尺体末端に付設した連結用部材である、一対の連結部（21）を備えており、各連結部(21)は前記ホルダー本体(３)の前記周縁部(32)に形成された一対の被連結部(34)にそれぞれ連結されている。また、この長尺体(２)には、長さ方向の中間部に、長さを調節するための長さ調節部(22)が取り付けてある。そして、この長さ調節部(22)により長さを調節された長尺体(２)の中央部位が吊り下げ部(23)として、使用者(５)の首部(51)に掛けられ(図３参照)、長尺体(２)が首部(51)から吊り下げられる。
【００２７】
前記カップ(４)の形状は、一般に繁用されている有底筒状で、前記挿通穴(31)への内挿が容易なテーパー状であればよく、直径や高さなどは特定の寸法のものに限定されない。例えば、上端開口(41)の外径が、６５〜１２５mm程度の範囲内のものが用いられる。このカップ(４)に収容される飲食物等の収容物(42)は、通常、ビール、コーヒー、お茶、清涼飲料などの飲み物や、唐揚げ、フライドポテト、ポテトチップス、ポップコーンなどのスナックやかき氷などの食べ物をいうが、カップ(４)内に収容できるものであれば飲食物以外のものであってもよい。
【００２８】
図２に示すように、前記ホルダー本体(３)の前記周縁部(32)に設けられた一対の被連結部(34)は、前記挿通穴(31)の中心点(33)について対象の位置に形成してある。各被連結部(34)には、周縁部(32)の一部を径方向外側へ膨らませた膨出部(38)が形成してあり、この膨出部(38)に、厚さ方向に貫通する透孔(39)が形成してある。この被連結部(34)は、図１に示すように、前記長尺体(２)の連結部(21)である長尺体末端に付設された連結用部材のカラビナを前記透孔(39)へ挿通することで、連結部(21)に連結されて支持されるが、前記膨出部(38)には前記透孔(39)の周囲に十分な幅が形成してあり、支持強度を高めてある。尚、この実施形態では、前記透孔(39)に連結部(21)であるカラビナを挿通したが、本考案では、長尺体(２)自体の端部を連結部(21)として前記透孔(39)に挿通し、結びつけることで連結してもよい。
【００２９】
前記ホルダー本体(３)の大きさは、通常用いられる各種カップ(４)が内挿できる限りにおいて、特に限定されないが、通常、環状の周縁部(32)の内径でもある挿通穴(31)の直径(DH)６０〜１２０mm程度、環状の周縁部(32)の外径(DO)７０〜１６０mm程度、周縁部(32)の幅５〜４０mm程度、厚さ２〜１０mm程度の範囲内であるのが、好ましい。
【００３０】
前記ホルダー本体(３)は、合成樹脂材料のほか、硬質ゴム、厚紙、金属など、任意の材料で形成される。なかでも、ポリオレフィン樹脂、ポリアミド樹脂、ポリ塩化ビニル樹脂などの合成樹脂を用いると、軽量で、環形状が保持され易く、射出成型等により簡単に形成できて安価に実施できるうえ、熱が伝わりにくいので、挿通穴(31)に内挿されたカップ(４)内の飲食物の冷たさや暖かさが保持されやすく好ましい。
【００３１】
前記長尺体(２)は、図３に示すように、前記ホルダー本体(３)を使用者(５)の首部(51)から吊り下げることができるものであればよく、図１に示す紐体のほか、ベルト、鎖、チューブなど、任意の材料・形状の素材を、単独であるいは複数種を組み合わせて形成することができる。この長尺体(２)の長さは、特に限定されないが、使用者(５)の首部(51)から吊り下げられたときに、ホルダー本体(３)が使用者(５)の腹部前方に支持される程度の長さがあればよく、通常、６０〜１６０cm程度の範囲内であるのが、好ましい。
【００３２】
前記連結部(21)と前記被連結部(34)とは、例えば、紐状の長尺体(２)の端部自体を連結部(21)として、被連結部(34)に縛り付けることにより連結してもよい。しかし、連結部(21)は長尺体(２)に付設される長尺体(２)とは別の部材で構成してもよく、例えば長尺体端部に、図１に示すカラビナや、フック、二重リングなどの、着脱可能な連結用部材を付設したものを連結部(21)として使用すると、長尺体(２)とホルダー本体(３)との連結が容易であるうえ、長尺体(２)と形状や色彩などが互いに異なる種々のホルダー本体(３)とを、容易に交換し組み合わせることができるので好ましい。
【００３３】
図３において、使用者(５)の首部(51)から吊り下げ部(23)で吊り下げられた長尺体(２)を介してホルダー本体(３)に支持される前記カップ(４)は、収容物(42)の重量等により下方に付勢される。前述のように、前記一対の被連結部(34)は、前記挿通穴(31)の中心点(33)について対象の位置に形成してあることから、上記の付勢力は、前記一対の被連結部(34)を通過する軸心を挟んだ両側に均等に加わるので、この軸心回りにカップ(４)が揺動することが抑制され、ホルダー本体(３)が水平姿勢に安定性良く支持される。
【００３４】
一方、図１及び図３から分かるように、前記各連結部(21)は、前記長尺体(２)の両端に連結用部材のカラビナを付設して、それぞれ形成されている。これにより長尺体(２)は、きわめて簡単な構造で安価に実施できるうえ、使用者(５)の首部(51)に支持される吊り下げ部(23)と前記連結部(21)との間を任意の長さに形成でき、長さ調節部(22)の調節によりホルダー本体(３)を使用者(５)の腹部前方に保持できるので、使用者(５)が身体を動かした際にホルダー本体(３)の揺動を少なく抑えることができる。
【００３５】
前述のように、前記ホルダー本体(３)は、吊り下げ状態において使用者(５)の腹部前方に位置していると好ましく、図１に示すように、前記長尺体(２)には、長さ方向の中間部に、使用者(５)の首部(51)から吊り下げる長さを調節するための長さ調節部(22)としてスライドストッパーが取り付けてある。使用者(５)はこのスライドストッパーを操作することにより、長尺体(２)の吊り下げ長さを身長に応じた長さに簡単に調節することができる。尚、この長さ調節部(22)は、使用者(５)の首部(51)から吊り下げたときの、吊り下げ長さを調節することができればよく、長尺体(２)の種類に応じて任意の金具等を採用することができる。例えば、長尺体(２)が紐体である場合は、中間部に形成した結び目などで構成してもよく、長尺体(２)がベルトの場合はラダーロック等のテープアジャスターを用いてもよい(図６参照)。
【００３６】
図３に示すように、前記カップホルダー(１)は、前記長尺体(２)が使用者(５)の首部(51)に掛けられて吊り下げられる。このとき前記ホルダー本体(３)の姿勢は、使用者(５)が長尺体(２)による吊り下げ状態を調整することで、即ち、具体的には、長尺体(２)の左右の吊り下げ長さを均等にすることで、簡単に水平状態にされる。前記カップ(４)内の収容物(42)を摂取しない状態にあっては、カップ(４)はこのホルダー本体(３)の挿通穴(31)に内挿されて支持され、その収容物(42)の重量等により下方へ付勢される。これによりカップ(４)は、使用者(５)がカップ(４)やカップホルダー(１)から手を離した状態にあっても、上端開口(41)を上方に配置した垂直状態に安定性良く保持され、収容物(42)がカップ(４)からこぼれ出ることが抑制される。
【００３７】
一方、使用者(５)がカップ(４)内の収容物(42)を摂取する場合は、前記カップ(４)をホルダー本体(３)の挿通穴(31)から取り出して操作してもよい。しかし、前記ホルダー本体(３)は前記長尺体(２)により使用者(５)の首部(51)から吊り下げられているだけであるので、カップ(４)がホルダー本体(３)の挿通穴(31)に内挿された状態で、ホルダー本体(３)ごとカップ(４)を操作でき、便利である。例えば、カップ(４)内の飲料(42)を飲む場合は、カップ(４)がホルダー本体(３)の挿通穴(31)に内挿された状態で、カップ(４)の上端開口(41)が使用者(５)の口に接する位置へホルダー本体(３)ごとカップ(４)を移動させる。そしてこのカップ(４)を傾けることにより使用者(５)は簡単に飲料(42)を飲むことができ、さらにその後、カップ(４)を腹部前方に容易に戻して両手を自由にすることができる。
【００３８】
尚、カップ(４)内に収容された飲料(42)はストローを介して飲まれてもよく、またカップ(４)内の収容物(42)が唐揚げやポテトチップス、フライドポテト、ポップコーンなどの場合は、使用者(５)がカップ(４)内の食べ物を直接指先でつまむことにより食され、収容物(42)がかき氷などの場合はスプーン等を用いてカップ(４)内から所要量が取り出されて食される。これらの場合、いずれもカップ(４)はホルダー本体(３)の挿通穴(31)に内挿された状態であると、使用者(５)はカップ(４)を片手で支持しなくてもよく、収容物(42)を取り出す操作のみを片手で行うことができる。
【００３９】
図３に示すように、吊り下げ状態の前記ホルダー本体(３)は使用者(５)の腹部前方に配置され、このホルダー本体(３)の挿通穴(31)にカップ(４)が内挿してある。このカップ(４)の上端開口(41)の周囲には、収容物(42)を摂取する際に、飲食物や使用者の口紅などが付着している場合があり、カップ(４)の揺動状態と前記周縁部(32)の幅によっては、前記吊り下げ状態においてカップ(４)の上端開口(41)の周縁が使用者(５)の腹部前方に触れて、衣服を汚損するおそれがある。
【００４０】
このようなおそれを確実に解消するため、図４に示す別の実施形態のカップホルダーのホルダー本体(３)では、周縁部(32)の少なくとも一部に、前記カップ(４)の上端開口(41)の周縁よりも径方向外側に突出する突出部(35)を備える。前記吊り下げ状態において、ホルダー本体(３)は突出部(35)が使用者(５)に当接するので、カップ(４)の上端開口(41)の周縁が使用者(５)の身体へ直接触れることがなく、この上端開口(41)の周縁に付着している口紅等により使用者(５)の衣服を汚損するおそれをより確実に防ぐことができる。
【００４１】
さらに上記の突出部(35)は、ホルダー本体(３)の強度を高めて保形性を高めるうえ、ホルダー本体(３)の表面積が増加するため、図４に示すように、この突出部(35)に表示部(37)を設けることができる。そして、この表示部(37)にスポーツ観戦時の応援チーム名や企業名、商品名、ロゴなどを表示することにより、スポーツファンの応援意欲を高揚させることや、広告宣伝効果等を高めることができる。
【００４２】
また、本考案に係るカップホルダーの更に別の実施形態においては、図５に示すように、ホルダー本体(３)は、周縁部(32)の少なくとも一部に、周縁部(32)の厚さ方向に対して上方向に長い縦長部(36)を備える。この実施形態においては、突出部(35)と共に縦長部(36)が形成されている。尚、この縦長部(36)は、周縁部(32)の厚さ方向に対して下方向に長く形成されていてもよく、あるいは上下両方向に長く形成されていてもよい。
【００４３】
図５の実施形態では、前記カップホルダー(１)を使用者(５)の首部(51)から吊り下げたときに、前記縦長部(36)が使用者(５)の身体に広く接することで、ホルダー本体(３)の姿勢が安定し易く、カップ(４)は垂直姿勢に容易に保持される。また、ホルダー本体(３)の姿勢が安定し、カップ(４)の揺動が抑制されるので、カップ(４)の上端開口(41)が使用者(５)へ接触することを確実に防止でき、衣服の汚損をより確実に防止できる。しかも、この縦長部(36)の外面は外方から容易に見えるので、この縦長部(36)に表示部(37)を設けることができる。そしてこの表示部(37)に応援チーム名や企業名、商品名、ロゴなどを表示することにより、スポーツファンの応援意欲を高揚させることや、広告宣伝効果等を高めることができる。
【００４４】
本考案は、上記の各実施形態に限定されず、本考案の趣旨を逸脱しない範囲において、種々の変更が可能である。
【００４５】
即ち、例えば前記長尺体(２)は、前記ホルダー本体(３)を使用者(５)の身体から吊り下げることができればよく、図６に示す変形例１のように、長尺体(２)の一方の端部に使用者の身体へ掛ける吊り下げ部(23)を形成するとともに、他方の端部に複数（この変形例１では３個）の支持体(24)を固定し、各支持体(24)の端部にそれぞれ前記連結部(21)を配置するなど、任意の形状に形成されていてもよい。尚、この変形例１では、長尺体(２)としてベルトが用いられ、連結部(21)として連結用部材のフックが用いられ、長さ調節部(22)としてラダーロックが用いられている。
【００４６】
また、上記の各実施形態のように、本考案の前記挿通穴(31)の周縁形状は円形に形成されて、全周に亘って前記カップ(４)の外周面に接する形状であってもよい。しかし、本考案では、例えば図７に示す変形例２のように、挿通穴(31)の内周縁形状が波形に形成されるなど、前記カップ(４)の外周面に部分的に接する形状であってもよい。尚、この場合の周縁部(32)の内径である挿通穴(31)の直径(DH)は、カップ(４)の外周面が接触する位置での直径をいう。
【００４７】
また、上記の各実施形態のように、本考案の前記ホルダー本体(３)には、前記挿通穴(31)が一つのみ形成されていてもよく、これにより、挿通穴(31)にカップ(４)を装着した状態で、ホルダー本体(３)ごとカップ(４)を持ち上げて傾けることができ、カップ(４)内に収容された飲料を簡単に飲むことができる。しかし、本考案では、例えば図８に示す変形例３のように、ホルダー本体(３)に複数の挿通穴(31)が形成されていてもよい。この場合は、１つのホルダー本体(３)に複数個（この変形例３では２個）のカップが保持されるので、例えば、飲料を収容したカップとスナック等の食べ物を収容したカップとを一つのホルダー本体(３)に支持することができる。この場合、カップを適宜操作することにより、容易に、カップに収容された飲料を飲んだり、或いはスナック等の食べ物を食べたりできる。
【符号の説明】
【００４８】
１…カップホルダー
２…長尺体
21…連結部
22…長さ調節部(スライドストッパーなど)
23…吊り下げ部
24…支持体
３…ホルダー本体
31…挿通穴
32…周縁部
33…挿通穴(31)の中心点
34…被連結部
35…突出部
36…縦長部
37…表示部(応援チーム名など)
38…膨出部
39…透孔
４…カップ
41…上端開口
42…収容物(飲料、食べ物など)
５…使用者
51…首部
DH…挿通穴の直径(周縁部の内径)
DO…周縁部の外径
DL…カップの下部外径
DU…カップの上部外径
【図１】
0003223709.tif 000003
【図２】
0003223709.tif 000004
【図３】
0003223709.tif 000005
【図４】
0003223709.tif 000006
【図５】
0003223709.tif 000007
【図６】
0003223709.tif 000008
【図７】
0003223709.tif 000009
【図８】
0003223709.tif 000010